(57)【特許請求の範囲】
【請求項１】
複数の遮光羽根群から成る遮光手段を備え、露光動作前は露光開口部を前記遮光手段により二重に遮光し、露光動作が指示されると該遮光手段による二重遮光状態を解除した後に、該遮光手段による前記露光開口部の開閉動作を開始するシャッタ装置において、
前記２重遮光状態を解除するタイミングを制御する制御手段を備え、
前記制御手段は、前記解除タイミングを可変可能であることを特徴とするシャッタ装置。
【請求項２】
被写体輝度を検出する輝度検出手段を更に有し、
前記制御手段は、前記輝度に応じて前記解除タイミングを制御することを特徴とする請求項１に記載のシャッタ装置。
【請求項３】
前記遮光手段により制御されるシャッタ秒時を検出する秒時検出手段を更に有し、
前記制御手段は、前記シャッタ秒時に応じて前記解除タイミングを制御することを特徴とする請求項１に記載のシャッタ装置。
【請求項４】
前記制御手段は、撮影光路内から撮影光路外に退避する可動ミラーの退避完了後から、前記解除タイミングまでの第１期間と、前記二重遮光状態の解除完了後から、前記遮光手段による前記露出開口部の開閉動作の開始時期までの第２期間との合計期間を、一定とするよう制御することを特徴とする請求項１に記載のシャッタ装置。
【発明の詳細な説明】
【０００１】
【産業上の利用分野】
本発明は、非撮影時に露出開口部を二重に遮光する機能を有するカメラのシャッタ装置に関する。
【０００２】
【従来の技術】
フォーカルプレーンシャッターの露出開口部の遮光性の向上を目的として、非撮影時に先幕羽根群と後幕羽根群の両方で露出開口部を覆う二重遮光機能を搭載したシャッターが提案されている。このようなシャッターは、非撮影時の二重遮光状態から、後幕羽根群を露出開口部外に退避させた後、先幕羽根群走行により露光を開始し、後幕走行により露光が終了する。そして、次回の撮影のために羽根を走行させるために必要なエネルギーをバネに蓄えるためのチャージ動作を行い、先幕羽根群は露出開口部を覆うように、後幕羽根群は露出開口部の一部または全体を覆うような位置まで動作させる。
【０００３】
上記の一連の動作のうち、露光開始前に後幕羽根群を露出開口部外に退避させる動作（二重遮光解除）を行うタイミングについては、従来からいくつか提案がなされている。たとえば、第１の従来例として特開平２−９７９２７号において、撮影者によってレリ−ズボタンが半押しされると二重遮光を解除し、レリ−ズボタンを戻すと二重遮光状態にするシャッターが提案されている。この方法は、撮影者がレリ−ズボタンを半押しして二重遮光が解除された後に、シャッターチャンスにおいて撮影者がレリ−ズボタンを全押した時に直ちに露光開始動作に入ることができるため、レリ−ズボタンを全押ししてから二重遮光を解除する方法に比較してレリ−ズ時のタイムラグが少なくなる効果がある。
【０００４】
また、第２の従来例として特開平３−２８８８３５号において、露光時に撮影光路外へ退避するミラーの退避動作とシャッターの二重遮光解除動作を連動させる方法が提案されている。この方法は、第１の従来例に比較してレリ−ズボタンが半押しされて二重遮光が解除された後にボタンが離されたときには、再び二重遮光状態とするような無駄な動作がなくなるという効果がある。
【０００５】
【発明が解決しようとする課題】
上記の第１の従来例に対して、上記の第２の従来例の出願人により、羽根走行音がして撮影者を惑わせることや、後羽根だけ通常の撮影時以外にも走行するため、度重なると破損の可能性があることなどが問題点として指摘されている。
【０００６】
また、第２の従来例の問題点として次のことが挙げられる。二重遮光が搭載されているカメラは高級なものが多く、このクラスのカメラにはミラーによる機構振れを防ぐために、レリーズボタンを押す以前にミラーを上昇位置で固定しておくミラーロックアップ機構が付いていることが多い。この様なカメラでは、第２の従来例のような二重遮光機能を持つシャッターを搭載すると、ミラーがロックアップしている時には、二重遮光が解除されている状態となる。しかし、ミラーがアップしている状態でこそ二重遮光の効果が発揮できるのであって、第２の従来例の方法は合理的でない。
【０００７】
よって、これらの問題を解決するには、レリ−ズボタンが全押しされてから先幕が走行するまでの間で、ミラーアップ機構に連動しない方法で二重遮光解除を行うことになる。二重遮光解除によるカメラの機構振れを考慮すれば、二重遮光解除のタイミングは早い方がよい。羽根からの漏光を防ぐという意味からすれば二重遮光解除のタイミングはなるべく遅く、先幕走行直前とした方がよい。このように二重遮光解除は、どのタイミングで行っても一長一短となる点で改善余地があった。
【０００８】
本発明は、上記の問題点に鑑みてなされたもので、二重遮光解除のタイミングを可変とすることにより、最適な二重遮光機構を得ることを目的とする。
【０００９】
【課題を解決するための手段】
この目的を達成するために、本発明のシャッタ装置は、複数の遮光羽根群から成る遮光手段を備え、露光動作前は露光開口部を遮光手段により二重に遮光し、露光動作が指示されると遮光手段による二重遮光状態を解除した後に、遮光手段による露光開口部の開閉動作を開始するシャッタ装置において、２重遮光状態を解除するタイミングを制御する制御手段を備え、制御手段は、解除タイミングを可変とするように構成されている。
【００１０】
【作用】
上記構成のシャッタ装置においては、二重遮光解除のタイミングを可変とすることにより最適な二重遮光機構を得られる。被写体輝度が高いときには、一般にシャッター速度が速くなり、機構振れの影響が小さくなることと、シャッター羽根からの漏光の可能性が高くなることから、二重遮光解除のタイミングを遅くした方がよい。被写体輝度が低いときには、シャッター速度が遅くなって機構振れの影響が大きくなることと、シャッター羽根からの漏光の可能性が低いことから、二重遮光解除のタイミングを早くした方がよい。このように、二重遮光解除のタイミングを被写体輝度に応じて積極的に変えることにより最適な二重遮光機能を得ることができる。
【００１１】
【実施例】
以下、本発明の実施例を図面に基づいて説明する。まず、本発明の実施例の構成を説明する。なお、以下の構成の説明は、後述する第１の実施例、第２の実施例に共通である。
【００１２】
図１は、本発明のシャッタ装置が搭載されるカメラの側断面図である。非撮影時においては、レンズ１０２を通った光はカメラボディにあるミラー１０４において反射され、すりガラス状のスクリーン１０５において拡散され、ペンタプリズムを通った後にファインダー１０６および測光部１０７に達する。撮影時にミラー１０４は、不図示のミラー付勢バネの係止が不図示のソレノイド１１２によって外されることによって上昇し、レンズ１０２を通った光はシャッターユニット１０３に到達する状態となる。
【００１３】
図２は、カメラの制御系統を示したブロック結線図である。ＣＰＵ１０８にはカメラボディの電源スイッチ部１１３が接続され、電源スイッチ部１１３にはスイッチのＯＮおよびＯＦＦ状態を検出する回路も含まれる。また、ＣＰＵ１０８にはレリ−ズスイッチ部１１４も接続され、このレリーズスイッチ部１１４にはレリーズボタンのＯＦＦ、半押し、全押しの各状態を検出する回路も含まれる。測光部１０７は、ＳＰＤ（Ｓｉｌｉｃｏｎ  Ｐｈｏｔｏ  Ｄｉｏｄｅ）などの光量検出装置であり、測光回路１１１を介してＣＰＵ１０８に接続され、ここでの測光情報を記憶するためのメモリ１０９もＣＰＵ１０８に接続されている。また、ＣＰＵ１０８は制御回路１１０にも接続され、この制御回路１１０は、先幕電磁石２５、後幕電磁石２８、二重遮光解除用ソレノイド２４、およびミラー上昇用ソレノイド１１２を、ＣＰＵ１０８の命令に基づいて制御する。
【００１４】
シャッターユニット１０３（図１）の機構部は、カバー板３と基板１とマグネット基板２により３層に構成されている。以下、基板１とマグネット基板２の間の層を下層部、基板２の上部を上層部と呼ぶ。図３はチャージ完了直後で二重遮光解除が行われる前の下層部の状態であるが、この図３を用いてシャッター羽根駆動機構部の構成を説明する。図３において、先幕駆動レバー４は基板１に回動可能に取り付けられており、先幕駆動レバー付勢バネ５により時計回りに付勢されている。また先幕駆動レバー４には、チャージレバー１６のころ１６ａと当接するころ４ａと、先幕駆動アーム３２（図４参照）に回動可能に嵌合されるピン４ｂとが取り付けられている。先幕駆動レバー４を先幕走行直前まで、付勢バネ５に抗して係止する先幕鍵６は、基板１に回動可能に取り付けられており、先幕鍵バネ７により反時計回りに付勢されている。また、先幕鍵６にはマグネット基板２上部の先幕アーマチャーレバー２６（図５参照）と当接するための突き出し部が設けられている。
【００１５】
第２後幕駆動レバー１２（図３）は基板１に回動可能に取り付けられており、第２後幕駆動レバー付勢バネ１３により反時計回りに付勢される。第２後幕駆動レバー１２にはピン１２ａが取り付けられ、このピン１２ａは後幕駆動アーム３５（図４参照）に回動可能に嵌合される。第１後幕駆動レバー８は第２後幕駆動レバー１２の上部かつ同軸上に、基板１および第２後幕駆動レバー１２に対して相対的に回動可能に取り付けられており、第１後幕駆動レバー付勢バネ９によって時計回りに付勢されている。第１後幕駆動レバー８には、後幕走行時に第２後幕駆動レバー１２を駆動するための駆動ピン８ｂが設けられている。二重遮光解除直前まで、付勢バネ１３に抗して第２後幕駆動レバー１２を係止する第２後幕鍵１４は、基板１に回動可能に取り付けられており、第２後幕鍵バネ１５により時計回りに付勢されている。また、後幕走行直前まで、付勢バネ９に抗して第１後幕駆動レバー８を係止する第１後幕鍵１０は、基板１に回動可能に取り付けられており、第１後幕鍵バネ１１によって時計回りに付勢されている。また、第１後幕鍵１０にはマグネット基板２上部の後幕アーマチャーレバー２９（図５参照）と当接するための突き出し部が設けられている。
【００１６】
後幕走行後に、二重遮光状態に復帰させるためのチャージレバー１６は、基板１に回動可能に取り付けられており、チャージレバー付勢バネ１７によって反時計回りに付勢されている。チャージレバー１６には、二重遮光状態への復帰動作時に先幕駆動レバーころ４ａおよび第１後幕駆動レバーころ８ａにそれぞれ当接して駆動させるための、ころ１６ａおよび１６ｂが取り付けられている。また、アーマチャー押さえレバー１８を駆動するためのピン１６ｃが取り付けられている。
【００１７】
アーマチャー押さえレバー１８は、二重遮光状態で先幕アーマチャーレバー２６、後幕アーマチャーレバー２９を機械的に電磁石２５および２８に押さえ付けるためのものであり（図５参照）、アーマチャー押さえレバー付勢バネ１９により時計回りに付勢されている。アーマチャー押さえレバー鍵２０は図５におけるマグネット基板２の裏側に回動可能に取り付けられており、図３においてアーマチャー押さえレバー鍵バネ２１により時計回りに付勢され、二重遮光復帰動作完了直後から二重遮光解除までアーマチャー押さえレバー１８を付勢バネ１９に抗して係止する。レリ−ズレバー２２は基板１に回動可能に取り付けられており、レリ−ズレバー付勢バネ２３によって反時計回りに付勢されている。レリ−ズレバー２２は、アーマチャー押さえレバー鍵２０、第２後幕鍵１４、およびソレノイド２４の可動部に、それぞれ当接するように構成されている。ソレノイド２４は基板１に固定されており、電流が流れると可動部が図３において下方に変位する。
【００１８】
図５において、先幕電磁石２５と後幕電磁石２８は、マグネット基板２に固定されている。マグネット基板２には、その下部にある先幕鍵６と第１後幕鍵１０の突き出し部を通すための穴が設けられている。先幕アーマチャーレバー２６はマグネット基板２に回動可能に取り付けられており、付勢バネ２７によって時計回りに付勢され、先幕鍵６の付き出し部と当接する。後幕アーマチャーレバー２９は、マグネット基板２に回動可能に取り付けられており、付勢バネ３０によって反時計回りに付勢され、第１後幕鍵１０の付き出し部と当接する。また、二重遮光状態復帰動作時と二重遮光状態時においては、先幕アーマチャーレバー２６は、アーマチャー押さえレバー１８および後幕アーマチャーレバー２９と当接するよう構成されている。
【００１９】
図６において、３１ａ、３１ｂ、および３１ｃは、先幕羽根である。先幕駆動アーム３２および先幕従動アーム３３は、基板１とカバー板３の間に回動可能に取り付けられており、公知のリンク機構によって羽根３１ａ、３１ｂ、および３１ｃを水平を保ちながら上下方向に運動させる。先幕駆動アーム３２は、前述の先幕駆動レバー４により駆動される。
【００２０】
図７において、３４ａ、３４ｂ、および３４ｃは、後幕羽根である。後幕駆動アーム３５および後幕従動アーム３６は、基板１とカバー板３の間に回動可能に取り付けられており、公知のリンク機構によって羽根３４ａ、３４ｂ、および３４ｃを水平を保ちながら上下方向に運動させる。後幕駆動アーム３５は、前述の第２後幕駆動レバー１２により駆動される。
【００２１】
次に、第１の実施例として、二重遮光解除のタイミングを単純にミラーアップよりも先または後の２段階に変える方法について述べる。
【００２２】
図３〜図５はチャージ完了直後、二重遮光解除前の状態を示した正面図である。図６、図８、および図９は、二重遮光解除直後で先幕走行前の状態を示した正面図で、図７、図１０、および図１１は、後幕走行直後でチャージ前の状態を示した正面図である。第１の実施例の動作を示したフローチャートが図１２であり、これと図２〜図１１を参照しながら、本発明のシャッタ装置が搭載されたカメラの第１の実施例の動作を説明する。カメラボディ１０１の電源スイッチ１１３がＯＮされることにより動作が開始される。
【００２３】
ステップＳ２０１において、レリ−ズスイッチ１１４が半押しされたことをＣＰＵ１０８が認識すれば、ステップＳ２０２へ進む。半押しされていなければ、ステップＳ２１２へ進む。
【００２４】
ステップＳ２０２において、ＣＰＵ１０８は測光回路１１１に測光を開始させる。測光部１０７によって検出された測光値（被写体輝度）は、測光回路１１１を介してＣＰＵ１０８に提供され、メモリ１０９に記憶される。この動作はレリ−ズスイッチ１１４が半押しされている間は繰り返され、メモリ１０９に記憶される情報も逐一更新される。
【００２５】
ステップＳ２０３において、レリーズスイッチ１１４が全押しされた場合には、メモリ１０９に記憶された最新の被写体輝度情報を用いて、ＣＰＵ１０８がシャッター速度および絞り値を演算し、シャッター羽根の二重遮光解除を行うタイミングを決定する。一方、レリ−ズスイッチ１１４が全押しされない場合には、ステップＳ２０１に戻る。
【００２６】
ステップＳ２０４において、ＣＰＵ１０８が、被写体輝度がある基準よりも明るいと判断した場合には、できるだけ二重遮光解除のタイミングを遅らせるためにミラー上昇動作を先に行う。ステップＳ２０５において、ミラー上昇動作を行う。ＣＰＵ１０８は、ミラー上昇用ソレノイド１１２を動作させて、ミラーを上昇側に付勢しているバネの係止を外し、バネの付勢力によってミラー１０４が上昇する。この時点において、シャッターユニットの機構部の様子は、チャージレバー１６の位置を除いて図３、図４、および図５と同じ状態で、図３のチャージレバー１６の位置は、図９のチャージレバーと同じ位置にある状態となる。
【００２７】
ステップＳ２０６において、二重遮光解除動作を行う。ＣＰＵ１０８は、制御回路１１０に、先幕電磁石２５および後幕電磁石２８への通電を開始させ、先幕アーマチャーレバー２６および後幕アーマチャーレバー２９を吸着した状態にする。この電磁石による吸着力は、先幕アーマチャーレバー付勢バネ２７および後幕アーマチャーレバー付勢バネ３０による付勢力よりも大きい。
【００２８】
さらに、ＣＰＵ１０８は制御回路１１０により、図９に示すように二重遮光解除用ソレノイド２４の可動部を下側に駆動させる。ソレノイド２４の可動部に当接しているレリ−ズレバー２２は付勢バネ２３に抗して時計回りに回転し、アーマチャー押さえレバー鍵２０を付勢バネ２１に抗して反時計回りに回転させるので、アーマチャー押さえレバー１８との係止が外れ、アーマチャー押さえレバー１８は付勢バネ１９の付勢力によって時計回りに、チャージレバー１６のピン１６ｃに当接するまで回転する。これにより、先幕アーマチャーレバー２６および後幕アーマチャーレバー２９は、図８のように、電磁石による吸着力によってのみ付勢バネ２７および３０に抗して保持された状態となる。
【００２９】
また図９において、レリ−ズレバー２２の時計回りの回転に伴い、第２後幕鍵１４を付勢バネ１５に抗して反時計回りに回転させるので、第２後幕駆動レバー１２との係止が外れて第２後幕駆動レバー１２は付勢バネ１３の付勢力によって反時計回りに、第１後幕駆動レバー８のピン８ｂに当接するまで回転する。これによって、図６に示すように後幕駆動アーム３５および後幕従動アーム３６が反時計回りに回転し、それに伴って後幕羽根３４ａ、３４ｂ、および３４ｃが水平を保ったまま露出開口部上方に移動する。これで、二重遮光状態は解除され、先幕羽根３１ａ、３１ｂ、および３１ｃによってのみ露出開口部が遮光されていることになる。図６、図８、および図９は、以上の動作が完了した時点での状態を示している。
【００３０】
ステップＳ２０４において、ＣＰＵ１０８が、被写体輝度がある基準の値よりも暗いと判断した場合には、二重遮光解除動作を先に行う。ステップＳ２０７において、二重遮光解除用ソレノイド２４を駆動して、二重遮光解除動作を行う。二重遮光解除動作の詳しい内容は、ミラー上昇を先に行う上述のステップＳ２０６の場合と同様である。ステップＳ２０８において、後幕羽根３４ａ、３４ｂ、および３４ｃが上昇完了した後にミラー上昇動作を行う。ミラー上昇動作の詳しい内容は、ミラー上昇を先に行う上述のステップＳ２０５の場合とまったく同様である。ただしこの場合には、ミラー上昇が完了した後に、後述する先幕走行開始までの間に、二重遮光解除に必要な時間と同程度のタイムラグをおくことが望ましい。なぜなら、被写体が低輝度の時に二重遮光タイミングを早くすることの利点は、二重遮光解除動作による機構振れが収まってから露光を開始できることであり、ミラー上昇直後に露光を開始してしまえばミラー上昇による機構振れの影響が撮影画像に表れてしまい、本発明の利点が薄れるためである。
【００３１】
ステップＳ２０９において、先幕羽根走行による露光開始動作を行う。ＣＰＵ１０８は制御回路１１０に、先幕電磁石２５への通電を停止させる。すると、図１０において、先幕アーマチャーレバー２６は先幕電磁石２５による吸着が解除され、付勢バネ２７の付勢力によって時計回りに回転し、先幕鍵６との当接部において先幕鍵６を付勢バネ７の付勢力に抗して時計回りに回転させる。これにより、図１１において先幕鍵６と先幕駆動レバー４との係止が外れ、先幕駆動レバー４は付勢バネ５の付勢力によって時計回りに回転する。これに伴って、図７において、先幕駆動アーム３２および先幕従動アーム３３は時計回りに回転し、先幕羽根３１ａ、３１ｂ、および３１ｃは水平を保ったまま、露出開口部下方に移動し、フィルム面への露光が開始される。
【００３２】
ステップＳ２１０において、後幕羽根走行による露光終了動作を行う。ＣＰＵ１０８は、先に求めておいたシャッター速度のデータに応じたタイミングで制御回路１１０に、後幕電磁石２８への通電を停止させる。すると、図１０において、後幕アーマチャーレバー２９は後幕電磁石２８による吸着が解除され、付勢バネ３０の付勢力によって反時計回りに回転し、第１後幕鍵１０との当接部において第１後幕鍵１０を付勢バネ１１の付勢力に抗して反時計回りに回転させる。これにより、図１１において第１後幕鍵１０と第１後幕駆動レバー８との係止が外れ、第１後幕駆動レバー８は付勢バネ９の付勢力によって、ピン８ｂによって当接している第２後幕駆動レバー１２とともに、第２後幕駆動レバー１２の付勢バネ１３に抗して時計回りに回転する。これに伴い、図７において、後幕駆動アーム３５および後幕従動アーム３６は時計回りに回転し、後幕羽根３４ａ、３４ｂ、および３４ｃは、水平を保ったまま下向きに運動し、フィルム面への露光が終了する。以上の動作が完了した状態が図７、図１０、および図１１である。
【００３３】
ステップＳ２１１において、次回の撮影のためにチャージ動作を行う。不図示のモータおよび機構により、チャージレバー１６は付勢バネ１７に抗して時計回りに図３に示した位置まで回転する。これに伴い、チャージレバーのころ１６ａと先幕駆動レバーのころ４ａで当接している先幕駆動レバー４は付勢バネ５に抗して反時計回りに回転して、先幕鍵６によって係止される。また、第１後幕駆動レバー８もチャージレバーのころ１６ｂと第１後幕駆動レバーのころ８ａで当接している第１後幕駆動レバー８は付勢バネ９に抗して反時計回りに回転して、第１後幕鍵１０によって係止される。
【００３４】
さらに、チャージレバー１６の回転に伴って、チャージレバーに固定されているピン１６ｃによって、アーマチャー押さえレバー１８は付勢バネ１９に抗して反時計回りに回転し、アーマチャー押さえレバー鍵２０によって係止される。これにより、図５においてアーマチャー押さえレバー１８によって、先幕アーマチャーレバー２６は付勢バネ２７に抗して反時計回りに回転し、先幕電磁石２５に押しつけられる。先幕アーマチャーレバー２６に当接している後幕アーマチャーレバー２９も付勢バネ３０に抗して時計回りに回転し、後幕電磁石２８に押しつけられる。以上の動作が完了した状態が図３〜図５である。この状態の直後にチャージレバー１６は付勢バネ１７の付勢力によって反時計回りに回転し、図９のチャージレバーの位置まで戻る。
【００３５】
ステップＳ２１２において、電源スイッチがＯＦＦされれば、全ての動作を終了し、ＯＦＦされなければ再びレリーズスイッチが半押し状態になるまで待機する。
【００３６】
次に第２の実施例として、二重遮光解除のタイミングを被写体輝度情報の数値に応じてきめ細かく多段階とし、二重遮光解除のタイミングを決定する基準については、第１の実施例のように被写体輝度をそのまま使う方法ではなく、被写体輝度から算出されたシャッタースピードを使う方法について述べる。
【００３７】
第２の実施例の動作を示したフローチャートが図１３であり、これと図２〜図１１を参照しながら説明する。なお、二重遮光解除のタイミングを二段階として、その決定基準をシャッタースピードとする方法や、二重遮光解除のタイミングを多段階として、その決定基準を被写体輝度とする方法も本発明に含まれる。
【００３８】
ステップＳ３０１において、レリ−ズスイッチ１１４が半押しされたことをＣＰＵ１０８が認識すれば、ステップＳ３０２へ進む。半押しされていなければ、ステップＳ３１２へ進む。
【００３９】
ステップＳ３０２において、ＣＰＵ１０８は測光回路１１１に測光を開始させる。測光部１０７によって検出された測光値（被写体輝度）は測光回路１１１を介してＣＰＵ１０８に提供され、メモリ１０９に記憶される。
【００４０】
ステップＳ３０３において、ＣＰＵ１０８は、ステップＳ３０２でメモリ１０９に記憶された被写体輝度をもとに、シャッタースピードおよび絞りを決定する。さらに、ＣＰＵ１０８は、このシャッタースピードの値をもとに、ミラー上昇後、二重遮光解除までの時間Ｔ［秒］と、二重遮光解除後先幕走行までの時間Ｔ’［秒］を決定する。ただし、ＴとＴ’の間には次の関係がある。
【００４１】
Ｔ＋Ｔ’＝一定
【００４２】
シャッタースピードが速い場合は、シャッター羽根からの漏光の可能性が高く、二重遮光解除動作による機構振れの影響が小さいことから、Ｔを長く、Ｔ’を短くする。シャッタースピードが遅い場合は、シャッター羽根からの漏光の可能性が低く、二重遮光解除動作による機構振れの影響が大きいことから、Ｔを短く、Ｔ’を長くする。ステップＳ３０２とステップＳ３０３の動作はレリーズスイッチが半押しされている間は繰り返される。
【００４３】
ステップＳ３０４において、レリーズスイッチが全押しされた場合には、撮影動作を行うためにステップＳ３０５に進む。ステップＳ３０４でレリ−ズスイッチがＯＦＦになった場合には測光動作を中止し、電源スイッチＯＦＦ（ステップＳ３１２）、または再びレリ−ズスイッチ半押し（ステップＳ３０１）となるまで待機状態となる。
【００４４】
ステップＳ３０５において、ミラー上昇動作を行う。この動作の詳細は第１の実施例のステップＳ２０５と同様である。ステップＳ３０６において、ＣＰＵ１０８は、ステップＳ３０３で決めたＴ秒間、待機する。ステップＳ３０７において、二重遮光解除動作を行う。この動作の詳細は第１の実施例のステップＳ２０６と同様である。ステップＳ３０８において、ＣＰＵ１０８は、ステップＳ３０３で決めたＴ’秒間、待機する。
【００４５】
ステップＳ３０９において、先幕羽根走行による露光開始動作を行う。この動作の詳細は第１の実施例のステップＳ２０９と同様である。ステップＳ３１０において、後幕羽根走行による露光終了動作を行う。この動作の詳細は第１の実施例のステップＳ２１０と同様である。ステップＳ３１１において、次回の撮影のためにチャージ動作を行う。この動作の詳細は第１の実施例のステップＳ２１１と同様である。ステップＳ３１２において、電源スイッチがＯＦＦされれば、全ての動作を終了し、再びレリーズスイッチが半押し状態（ステップＳ３０１）になれば、以上の一連の動作を繰り返す。
【００４６】
【発明の効果】
以上のように、本発明のシャッタ装置によれば、２重遮光状態を解除するタイミングを制御する制御手段が、二重遮光解除のタイミングを変えるようにしたので、最適な二重遮光機構を得ることが可能となる。
【図面の簡単な説明】
【図１】本発明のシャッタ装置が搭載されるカメラの側面図である。
【図２】本発明のシャッタ装置が搭載されるカメラの制御系統を示した図である。
【図３】チャージ完了直後のシャッター機構部下層部の正面図である。
【図４】チャージ完了直後のシャッター羽根の正面図である。
【図５】チャージ完了直後のシャッター機構部上層部の正面図である。
【図６】二重遮光解除直後のシャッター羽根の正面図である。
【図７】後幕走行直後のシャッター羽根の正面図である。
【図８】二重遮光解除直後のシャッター機構部上層部の正面図である。
【図９】二重遮光解除直後のシャッター機構部下層部の正面図である。
【図１０】後幕走行直後のシャッター機構部上層部の正面図である。
【図１１】後幕走行直後のシャッター機構部下層部の正面図である。
【図１２】本発明のシャッタ装置が搭載されるカメラの第１実施例の動作を示したフローチャートである。
【図１３】本発明のシャッタ装置が搭載されるカメラの第２実施例の動作を示したフローチャートである。
【符号の説明】
１    基板
２    マグネット基板
３    カバー板
４    先幕駆動レバー
４ａ  ころ
４ｂ  ピン
５    先幕駆動レバー付勢バネ
６    先幕鍵
７    先幕鍵付勢バネ
８    第１後幕駆動レバー
８ａ  ころ
８ｂ  ピン
９    第１後幕駆動レバー付勢バネ
１０  第１後幕鍵
１１  第１後幕鍵付勢バネ
１２  第２後幕駆動レバー
１２ａ  ピン
１３  第２後幕駆動レバー付勢バネ
１４  第２後幕鍵
１５  第２後幕鍵付勢バネ
１６  チャージレバー
１６ａ、１６ｂ  ころ
１６ｃ  ピン
１７  チャージレバー付勢バネ
１８  アーマチャー押さえレバー
１９  アーマチャー押さえレバー付勢バネ
２０  アーマチャー押さえレバー鍵
２１  アーマチャー押さえレバー鍵付勢バネ
２２  レリ−ズレバー
２３  レリ−ズレバー付勢バネ
２４  二重遮光解除用ソレノイド
２５  先幕電磁石
２６  先幕アーマチャーレバー
２７  先幕アーマチャーレバー付勢バネ
２８    後幕電磁石
２９  後幕アーマチャーレバー
３０  後幕アーマチャーレバー付勢バネ
３１ａ、３１ｂ、３１ｃ  先幕羽根
３２  先幕駆動アーム
３３  先幕従動アーム
３４ａ、３４ｂ、３４ｃ    後幕羽根
３５  後幕駆動アーム
３６  後幕従動アーム
１０１  カメラボディ
１０２  レンズ
１０３  シャッターユニット
１０４  ミラー
１０５  スクリーン
１０６  ファインダー
１０７  測光部
１０８  ＣＰＵ
１０９  メモリ
１１０  制御回路
１１１  測光回路
１１２  ミラー上昇用ソレノイド
１１３  電源スイッチ部
１１４  レリーズスイッチ部
【図１】
0003584270.tif 000002
【図２】
0003584270.tif 000003
【図３】
0003584270.tif 000004
【図４】
0003584270.tif 000005
【図５】
0003584270.tif 000006
【図６】
0003584270.tif 000007
【図７】
0003584270.tif 000008
【図８】
0003584270.tif 000009
【図９】
0003584270.tif 000010
【図１０】
0003584270.tif 000011
【図１１】
0003584270.tif 000012
【図１２】
0003584270.tif 000013
【図１３】
0003584270.tif 000014